(57)【要約】【課題】  原稿読取ガラスに生じる結露を防止する。【解決手段】  画像形成装置１００は、原稿読取ガラス１１０，１１４と、原稿読取ガラスに接触する接触部６１１、６１２を備え、外部電源１６１から電力を受けて原稿読取ガラスを加熱する加熱装置６０１と、外部電源から電力を受けて画像形成装置を駆動する駆動手段４０６と、外部電源から駆動手段への電力の供給と遮断を切り替える第一の切替手段１０６と、外部電源から加熱装置への電力の供給と遮断を切り替える第二の切替手段２０３と、第一の切替手段により外部電源から駆動手段へ電力が供給されているときに第二の切替手段により外部電源から加熱装置への電力の供給を遮断させ、第一の切替手段により外部電源から駆動手段への電力の供給が遮断されているときに第二の切替手段により外部電源から加熱装置へ電力を供給させるように、第二の切替手段を制御する切替制御手段１１７と、を備える。【選択図】  図６
2018152667.tif 000002
【特許請求の範囲】
【請求項１】
画像形成装置であって、
原稿読取ガラスと、
前記原稿読取ガラスを介して原稿の画像を読み取り、画像データを生成する画像読取器と、
前記画像データに基づいて記録媒体に画像を形成する画像形成部と、
前記原稿読取ガラスに接触する接触部を備え、外部電源から供給される電力を受けて前記原稿読取ガラスを加熱する加熱装置と、
前記加熱装置の前記接触部が前記原稿読取ガラスに接触するように、前記加熱装置が着脱可能に装着される装着部と、
前記外部電源から供給される電力を受けて前記画像形成装置を駆動するための駆動電流を生成する駆動手段と、
前記外部電源から前記駆動手段への電力の供給と遮断を切り替える第一の切替手段と、
前記外部電源から前記加熱装置への電力の供給と遮断を切り替える第二の切替手段と、
前記第一の切替手段により前記外部電源から前記駆動手段へ電力が供給されているときに前記第二の切替手段により前記外部電源から前記加熱装置への電力の供給を遮断させ、前記第一の切替手段により前記外部電源から前記駆動手段への電力の供給が遮断されているときに前記第二の切替手段により前記外部電源から前記加熱装置へ電力を供給させるように、前記第二の切替手段を制御する切替制御手段と、
を備える画像形成装置。
【請求項２】
前記画像読取器は、前記加熱装置により加熱される前記原稿読取ガラスの下方に配置されている請求項１に記載の画像形成装置。
【請求項３】
前記画像読取器が収納される筐体を更に備え、
前記加熱装置の前記接触部は、前記筐体と前記原稿読取ガラスとの間の隙間に挿入される挿入部を有する請求項１又は２に記載の画像形成装置。
【請求項４】
前記挿入部は弾性を有し、前記挿入部の前記弾性により前記挿入部が前記原稿読取ガラスに所定の接触圧力で接触する請求項３に記載の画像形成装置。
【請求項５】
前記加熱装置の前記接触部は、前記挿入部と前記原稿読取ガラスとの間に配置される熱伝導部材を更に有する請求項３又は４に記載の画像形成装置。
【請求項６】
前記筐体は、上部開口が設けられており、
前記画像読取器は、光を出射する光源と、前記光源から出射された光を前記原稿読取ガラスの上に載置された原稿へ照射する導光体と、光電変換素子と、前記原稿からの反射光を前記光電変換素子へ導く複数のミラーおよびレンズを有する光学手段と、を備え、
前記画像読取器は、前記原稿読取ガラスにより前記上部開口が閉じられた前記筐体の内部の空間に配置されている請求項３乃至５のいずれか一項に記載の画像形成装置。
【請求項７】
前記原稿読取ガラスは、原稿が載置されるプラテンガラスを含み、
前記画像形成装置は、前記画像読取器により前記プラテンガラスの上に載置された原稿の画像を読み取るために前記画像読取器を移動させる駆動モータを更に備え、
前記駆動手段は、前記駆動モータへ前記駆動電流を供給する請求項１乃至６のいずれか一項に記載の画像形成装置。
【請求項８】
前記プラテンガラスの上面に原稿サイズ指標板を更に備え、
前記加熱装置の前記接触部は、前記原稿サイズ指標板の下で前記プラテンガラスの下面に接触している請求項７に記載の画像形成装置。
【請求項９】
前記原稿読取ガラスは、流し読みガラスを含み、
前記画像形成装置は、前記画像読取器により原稿の画像を読み取るために前記流し読みガラスの上に原稿を搬送する自動原稿給送装置を更に備え、
前記駆動手段は、前記自動原稿給送装置へ前記駆動電流を供給する請求項１乃至８のいずれか一項に記載の画像形成装置。
【請求項１０】
前記流し読みガラスの下面に接地部材を更に備え、
前記加熱装置の前記接触部は、前記接地部材に接触しないように前記流し読みガラスの下面に接触している請求項９に記載の画像形成装置。
【発明の詳細な説明】
【技術分野】
【０００１】
本発明は、原稿読取ガラスを加熱する加熱装置を有する画像形成装置に関する。
【背景技術】
【０００２】
従来、ＦＡＸ、複写機、ＭＦＰ等の画像読取機能を有する画像形成装置においては、地域、シーズンによって生じる夜間及び朝方の冷え込みと、オフィスの始業開始後の空調設備による急激な室温上昇と言った環境変化により結露が発生することがある。結露の発生を防止するオプションとして、画像形成装置に加熱装置が取り付けられる。市場流通パーツとしての加熱装置は、市場におけるサービスマンの判断またはユーザの要望に従って出庫され、ユーザ先で画像形成装置に取り付けられる。しかし、従来の加熱装置を画像形成装置に取り付けたとしても、画像読取装置の原稿読取ガラスまたは光学素子に結露が生じ、画像を正常に読み取れないことがある。
【０００３】
特許文献１は、原稿読取ガラスの下方において移動可能に配置された第一スキャナ、第二スキャナおよび結露防止用の加熱装置が設けられた画像形成装置を開示している。第一スキャナは、光源および第一ミラーを有する。第二スキャナは、第二ミラーおよび第三ミラーを有する。加熱装置は、ホームポジションにある第一スキャナおよび第二スキャナの近傍下方に配置されている。加熱装置により発生する上昇気流は、最も先に第一スキャナおよび第二スキャナの温度を上昇させるので、第一スキャナおよび第二スキャナ以外の部分が暖まっていない場合でも、結露の発生を防止することができる。
【先行技術文献】
【特許文献】
【０００４】
【特許文献１】特開平１０―３１９８２２号公報
【発明の概要】
【発明が解決しようとする課題】
【０００５】
しかし、夜間に低温・高湿度になる場所に設置された画像形成装置の内部へ、早朝の空調制御により急激に温度が上昇した室内空気が流入すると、原稿読取ガラスや光学素子の表面に結露が生じることがある。結露は、原稿の搬送不良および画像の読取不良を生じさせる。そこで、画像形成装置に加熱装置を装着することにより結露の発生を防止しているが、加熱装置により発生する空気の対流のみでは、原稿読取ガラスや光学素子を十分に加熱することができないことがある。また、加熱装置の加熱量を大きくすると、加熱装置の消費電力が大きくなるという問題がある。
【０００６】
そこで、本発明は、加熱装置が原稿読取ガラスに接触して原稿読取ガラスを加熱することにより結露を防止することができる画像形成装置を提供する。
【課題を解決するための手段】
【０００７】
上記課題を解決するために、本発明の一実施形態による画像形成装置は、
原稿読取ガラスと、
前記原稿読取ガラスを介して原稿の画像を読み取り、画像データを生成する画像読取器と、
前記画像データに基づいて記録媒体に画像を形成する画像形成部と、
前記原稿読取ガラスに接触する接触部を備え、外部電源から供給される電力を受けて前記原稿読取ガラスを加熱する加熱装置と、
前記加熱装置の前記接触部が前記原稿読取ガラスに接触するように、前記加熱装置が着脱可能に装着される装着部と、
前記外部電源から供給される電力を受けて前記画像形成装置を駆動するための駆動電流を生成する駆動手段と、
前記外部電源から前記駆動手段への電力の供給と遮断を切り替える第一の切替手段と、
前記外部電源から前記加熱装置への電力の供給と遮断を切り替える第二の切替手段と、
前記第一の切替手段により前記外部電源から前記駆動手段へ電力が供給されているときに前記第二の切替手段により前記外部電源から前記加熱装置への電力の供給を遮断させ、前記第一の切替手段により前記外部電源から前記駆動手段への電力の供給が遮断されているときに前記第二の切替手段により前記外部電源から前記加熱装置へ電力を供給させるように、前記第二の切替手段を制御する切替制御手段と、
を備える。
【発明の効果】
【０００８】
本発明によれば、加熱装置が原稿読取ガラスに接触して原稿読取ガラスを加熱することにより結露を防止することができる。
【図面の簡単な説明】
【０００９】
【図１】背面側から見た画像形成装置の斜視図。
【図２】画像読取器を示す図。
【図３】基板のブロック図。
【図４】飽和水蒸気圧線を示す図。
【図５】画像読取装置および加熱装置の斜視図。
【図６】加熱装置が装着される装着部の拡大図。
【図７】画像形成装置の制御システムのブロック図。
【図８】加熱装置の結線を示すブロック図。
【図９】ＤＣ−ＤＣ電源および加熱装置への電力供給のタイミングチャート。
【図１０】画像読取装置に装着された加熱装置の斜視図。
【図１１】参考例の加熱装置が装着された画像読取装置の斜視図。
【図１２】参考例の加熱装置の温度特性を示す図。
【発明を実施するための形態】
【００１０】
（画像形成装置）
以下、図１を用いて、本実施形態による画像形成装置１００を説明する。図1は、背面側から見た画像形成装置１００の斜視図である。画像形成装置１００は、画像形成装置本体（以下、装置本体という）１０１、画像読取装置１０２及び自動原稿給送装置１０３を備えている。図１は、画像読取装置１０２を説明するために自動原稿給送装置１０３が画像読取装置１０２から取り外された状態を示している。自動原稿給送装置１０３は、実際には、画像読取装置１０２に対して開閉可能に装着されている。装置本体１０１には、電源スイッチとしての本体メインスイッチ（以下、本体メインＳＷという）１０６、リレーボード１１６、システムコントローラ（切替制御手段）１１７および本体電源装置１１８が設けられている。装置本体１０１には、紙などの記録媒体に電子写真方式を用いて画像を形成する画像形成部（プリンタ部）１６０および操作部１６１が設けられている。装置本体１０１は、商用電源から電力が供給されて動作する。操作部１６１には、ソフトスイッチ（以下、ソフトＳＷという）１２３が設けられている。自動原稿給送装置１０３は、画像の読み取りのために給送される原稿が載置される原稿トレイ１１３と、読み取られた原稿が排出される排出トレイ１０９が設けられている。
【００１１】
画像読取装置１０２は、筐体１４０、プラテンガラス１１４、流し読みガラス１１０、駆動モータ１１２、ホームポジション（以下、ＨＰという）センサ１２９、原稿走査手段としての画像読取器１１５および読取コントローラ１２８が設けられている。画像読取装置１０２は、また、読取コントローラ１２８へ所定の電圧を供給するために入力電圧を所定の電圧へ変換するＤＣ−ＤＣ電源（直流入力直流出力電源）２１０が設けられている。プラテンガラス１１４上には、副走査方向に延在する原稿サイズ指標板１２４が設けられている。筐体１４０は、プラテンガラス１１４および流し読みガラス１１０とともに閉塞空間を形成する。画像読取器１１５は、筐体１４０、プラテンガラス１１４および流し読みガラス１１０により画定される空間内に収納される。
【００１２】
（画像読取器）
画像読取装置１０２は、上部開口が原稿読取ガラスとしてのプラテンガラス１１４及び流し読みガラス１１０により閉じられて内部に閉鎖空間を形成する筐体１４０を有する。本実施形態においては、原稿読取ガラスとしてプラテンガラス１１４及び流し読みガラス１１０が設けられているが、原稿読取ガラスとしてプラテンガラス１１４のみ、または、原稿読取ガラスとして流し読みガラス１１０のみが設けられていてもよい。筐体１４０の閉鎖空間の中には、画像読取器１１５が配置されている。画像読取器１１５は、プラテンガラス１１４及び流し読みガラス１１０の下方で副走査方向に移動可能に配置されている。画像読取器１１５は、プラテンガラス１１４または流し読みガラス１１０を介して原稿の画像を読み取り、画像データを生成する。固定読み取りモードにおいては、画像読取器１１５は、副走査方向に移動しながらプラテンガラス１１４の上に載置された原稿の画像を読み取り画像データを生成する。流し読みモードにおいては、画像読取器１１５は、流し読みガラス１１０の下方の読取位置に位置して、自動原稿給送装置１０３により搬送される原稿の画像を読み取り画像データを生成する。プラテンガラス１１４上に載置された原稿の画像を読み取るときに、画像読取器１１５は、駆動モータ１１２により副走査方向に移動させられながら原稿の画像を読み取る。駆動モータ１１２は、パルスモータであり、１駆動パルス当たりの画像読取器１１５の移動距離は、予め求められ、ＲＯＭ（不図示）に保存されている。画像読取器１１５には、ＨＰセンサ１２９を遮光するフラグ１３０が設けられている。ＨＰセンサ１２９がフラグ１３０を検出することにより、画像読取器１１５の初期位置が検出される。読取コントローラ１２８に搭載されたＣＰＵ（不図示）は、ＲＯＭ（不図示）に保存された制御プログラムをＲＡＭ（不図示）に展開し、画像読取器１１５の位置を制御する。ＣＰＵ（不図示）は、ＨＰセンサ１２９がフラグ１３０を検出することにより、原点リセットする。ＣＰＵ（不図示）は、初期位置の検出結果と、制御クロック数と、駆動モータ１１２の駆動パルスとから、副走査方向における画像読取器１１５の位置を算出する。
【００１３】
図２は、画像読取器１１５を示す図である。図２（ａ）は、基板１００１の側から見た画像読取器１１５の斜視図である。図２（ｂ）は、光電変換手段としての光電変換素子１０１０が見えるように描いた画像読取器１１５の斜視図である。図２（ｃ）は、画像読取器１１５の断面図である。画像読取器１１５は、原稿を照明する照明手段１０１４と、光電変換素子１０１０と、原稿からの反射光を光電変換素子１０１０上に結像させる光学手段１０１１とを有する。照明手段１０１４は、主走査方向に列状に配列された複数のＬＥＤ素子（光源）１００６、ＬＥＤ素子１００６から出射された光を原稿へ照射させる導光体１００７と、基板１００１と、光電変換素子１０１０と、反射鏡１００８とを有する。光電変換素子１０１０は、基板１００１に実装されている。光学手段１０１１は、画像読取器１１５の筐体１０１５の内部に配置されている。光学手段１０１１は、複数のミラー５１、５２、５３、５４とレンズ５５を組み合わせて形成された縮小光学系からなる。
【００１４】
導光体１００７は、ＬＥＤ素子１００６から出射された照明光を斜め上方と水平方向の２方向に分けて出射する。水平方向へ出射された照明光は、導光体１００７に対向して配置された反射鏡１００８により、斜め上方へ反射される。導光体１００７により斜め上方へ照射された光と、反射鏡１００８により斜め上方へ反射された光は、ほぼ同じ光量で、原稿面の同一走査位置を照明する。照明手段１０１４は、切り貼り原稿等の段差の影を消すように原稿を照明する。照明手段１０１４により照明された原稿からの反射光は、光学手段１０１１により光学的に縮小され、光電変換素子１０１０上に結像される。
【００１５】
画像読取器１１５は、摺動可能なフレキシブルフラットケーブル（以下、ＦＦＣという）１００３により読取コントローラ１２８に接続されている。ＦＦＣ１００３は、コネクタ１００２により画像読取器１１５の基板１００１に接続されている。基板１００１には、ＬＥＤドライバＩＣ１０１２およびアナログフロントエンド（以下、ＡＦＥという）１０１３が設けられている。読取コントローラ１２８は、ＦＦＣ１００３を介して基板１００１へ電力（直流）を供給する。基板１００１は、電線１００５により照明手段１０１４のＬＥＤ素子１００６に接続されている。電線１００５は、コネクタ１００４により基板１００１に接続されている。
【００１６】
図３は、基板１００１のブロック図である。ＡＦＥ１０１３は、読取コントローラ１２８からＦＦＣ１００３を介してシリアル信号１１０３を受信する。ＡＦＥ１０１３は、シリアル信号１１０３に基づいて光電変換素子１０１０を制御する。ＡＦＥ１０１３は、シリアル信号１１０３に基づいてＬＥＤドライバＩＣ１０１２に対して、ＬＥＤ素子１００６の光量の設定と、点灯および消灯の制御を実行する。ＬＥＤドライバＩＣ１０１２は、設定された光量に相当する定電流制御された電流値１１００をコネクタ１００４および電線１００５を介して照明手段１０１４へ供給する。照明手段１０１４は、設定された光量で原稿を照明する。照明手段１０１４の点灯および消灯は、ＬＥＤドライバＩＣ１０１２により制御される。原稿からの反射光は、光学手段１０１１を介して光電変換素子１０１０により受光される。光電変換素子１０１０は、反射光をアナログ電気信号１１０１へ変換し、アナログ電気信号１１０１をＡＦＥ１０１３へ出力する。ＡＦＥ１０１３は、アナログ電気信号１１０１をＡ／Ｄ変換によりデジタル信号としてのビデオ信号（画像データ）１１０２へ変換する。ビデオ信号１１０２は、ＦＦＣ１００３を介して読取コントローラ１２８へ送信される。読取コントローラ１２８は、ビデオ信号１１０２を装置本体１０１のシステムコントローラ１１７へ送信する。システムコントローラ１１７は、ビデオ信号１１０２に基づいて、画像形成部１６０により記録媒体へ画像を形成させる。
【００１７】
（装置本体）
図１に示すように、電力用電線である商用電源ケーブル（以下、コードという）１０４の一端部には、商用電源１６２（図７）のコンセントに差し込まれる差込プラグ１０４ａが設けられている。コード１０４の他端部は、装置本体１０１の本体電源装置１１８の受入口（インレット）１０５に接続されている。本体電源装置１１８には、環境スイッチ（以下、環境ＳＷという）１２２が設けられている。環境ＳＷ１２２は、使用者の要望に応じて選択に装着される部品（以下、アプリケーションという）が画像形成装置１００に装着されたときにＯＮ状態にされる。本実施形態における加熱装置６０１は、使用者の要望に応じて画像読取装置１０２に着脱可能に装着されるアプリケーションである。加熱装置６０１は、プラテンガラス１１４および流し読みガラス１１０を加熱する。環境ＳＷ１２２は、加熱装置６０１が画像読取装置１０２に装着されたときにＯＮ状態にされる。環境ＳＷ１２２がＯＮ状態にされることにより、本体電源装置１１８は、リレーボード１１６を介して加熱装置６０１へ電流を供給可能な状態にされる。加熱装置６０１への電流供給のＯＮ／ＯＦＦ制御は、システムコントローラ１１７により制御されるリレーボード１１６により実行される。
【００１８】
本体電源装置１１８は、本体メインＳＷ１０６およびソフトＳＷ１２３に電気的に接続されている。本体電源装置１１８は、電気ケーブル１１９によりシステムコントローラ１１７に電気的に接続されている。本体電源装置１１８は、商用電源-リレーボード間給電ケーブル（以下、電源ケーブルという）１２１およびＤＣ電源-リレーボード間給電ケーブル（以下、電源ケーブルという）１２５によりリレーボード１１６に電気的に接続されている。システムコントローラ１１７は、アプリケーション電源制御信号線（以下、信号線という）１２０および画像読取装置電源制御信号線（以下、信号線という）２１２によりリレーボード１１６に電気的に接続されている。リレーボード１１６は、商用電源中継ケーブル（以下、電源ケーブルという）１２７、中継コネクタ１０７および電源ケーブル４１６を介して画像読取装置１０２の加熱装置６０１に接続されている。リレーボード１１６は、また、ＤＣ電源中継ケーブル（以下、電源ケーブルという）１２６、中継コネクタ１０７および電源ケーブル４１６を介して画像読取装置１０２のＤＣ−ＤＣ電源２１０に接続されている。装置本体１０１の中継コネクタ１０７からの電源ケーブル４１６は、画像読取装置１０２に設けられた給電口１０８を通して画像読取装置１０２の内部へ導かれている。
【００１９】
（結露の説明）
図４を用いて、空気中に気化可能な水蒸気量を説明する。図４は、飽和水蒸気圧線を示す図である。横軸は、温度（℃）を示す。縦軸は、水蒸気圧（ｍｍＨｇ）を示す。飽和水蒸気圧線３０３は、各温度に於ける相対湿度１００％の状態をプロットした線となっている。例えば、ポイント３０４は、温度２８℃における相対湿度８０％を示している。ポイント３０４の空気の温度がポイント３０６の露点温度３０７へ低下すると、空気の相対湿度は、１００％に到達する。空気の温度が更に下がると結露発生する。
【００２０】
このような結露発生現象を画像形成装置１００に当てはめて考える。夜間、本体メインＳＷ１０６がＯＦＦされた状況下で外気温度が下がると、画像形成装置１００の内部温度も低下する。翌朝、冷え切った画像読取装置１０２の筐体、ガラスおよびレンズ表面は、例えば、温度領域３０８内の温度まで低下する。画像読取装置１０２の筐体、ガラスおよびレンズ表面が低温状態で、朝、オフィスの始業前にオフィスの空調制御がＯＮされて、室温が例えばポイント３０９に示す温度２２℃、相対湿度５０％へ急速に調整されるとする。ポイント３０９の空気の露点温度は、ポイント３１０に示す約１２℃である。筐体、ガラスおよびレンズ表面の温度は、露点温度１２℃より低いので、画像読取装置１０２内へ流れ込んだ空気は、筐体、ガラスおよびレンズ表面近傍にて順次水滴化して結露が発生する。即ち、オフィスの空調制御に伴って暖まった室内空気が画像読取装置１０２内へ流入すると、室内空気と冷え切った筐体、ガラスおよびレンズ表面との温度差が大きいために、結露が発生する。
【００２１】
本実施形態においては、結露の発生を防止るために、筐体、ガラスおよびレンズ表面の温度を予め露点温度より高く維持する。このため、夜間に本体メインＳＷ１０６がＯＦＦされる動作に連動するトグル動作で加熱装置６０１をＯＮする。加熱装置６０１により、筐体、ガラスおよびレンズ表面を加熱する。朝、本体メインＳＷ１０６がＯＮされる動作に連動するトグル動作で加熱装置６０１をＯＦＦする。本体メインＳＷ１０６がＯＮされると、画像読取装置１０２内の発熱源の自己発熱によって露点温度１２℃より高い筐体、ガラスおよびレンズ表面の温度を維持することがきる。
【００２２】
（加熱装置）
図５および図６を用いて、本実施形態の加熱装置６０１を説明する。加熱装置６０１は、画像読取装置１０２の流し読みガラス１１０およびプラテンガラス１１４の内側の結露、複数のミラーとレンズを組み合わせて形成された縮小光学系からなる光学手段１０１１の表面に生じる結露を抑制するためのサービスパーツである。サービスパーツとは、市場にてサービスマンが後付け作業を行う部品である。図５は、画像読取装置１０２および加熱装置６０１の斜視図である。図５（ａ）は、加熱装置６０１が装着された画像読取装置１０２の斜視図である。図５（ｂ）は、加熱装置６０１の斜視図である。図６は、加熱装置６０１が装着される装着部１５０の拡大図である。図６（ａ）は、画像読取装置１０２の装着部１５０に装着された加熱装置６０１の拡大図である。図６（ｂ）は、画像読取装置１０２の装着部１５０から取り外された加熱装置６０１の拡大図である。加熱装置６０１は、画像読取装置１０２の装着部１５０に着脱可能である。
【００２３】
加熱装置６０１は、発熱体としての電熱線（発熱部）８０３と、電熱線８０３を保持する保持部６０２と、第一の挿入部６１１と、第二の挿入部６１２とを有する。第一の挿入部６１１および第二の挿入部６１２は、金属製の板状部材であるが、金属に限定されるものではなく、熱伝導性のよい材料で形成されていればよい。第一の挿入部６１１および第二の挿入部６１２は、弾性（ばね性）を有するようにＬ字形状に折り曲げられている折り曲げ部である。なお、本実施形態において、Ｌ字形状に折り曲げられている折り曲げ部という表現は、図５（ｂ）に示すようにＶ字形状（楔形状）に折り返された折り返し部を含む。第一の挿入部６１１と第二の挿入部６１２は、互いに分離されていてもよいが、一体の挿入部として構成されていてもよい。第一の挿入部６１１および第二の挿入部６１２は、保持部６０２に取り付けられて、保持部６０２により保持されている。保持部６０２は、アルミ板などの基材で形成されている。図５（ｂ）の点線で示すように、電熱線８０３は、保持部６０２の裏面に引き回されている。なお、電熱線８０３は、保持部６０２の裏面ではなく保持部６０２の側面に引き回されて保持部６０２と第一の挿入部６１１および第二の挿入部６１２との間に挟まれるように設けられていてもよい。電熱線８０３は、第一の挿入部６１１および第二の挿入部６１２を加熱するように構成されていればよい。
【００２４】
加熱装置６０１には、給電線６０４が取り付けられている。給電線６０４の一端部は、電熱線８０３に接続され、他端部は、コネクタ８０４に接続されている。コネクタ８０４は、電源ケーブル４１６を介して中継コネクタ１０７に接続されている。商用電源１６２（図７）からの電力は、環境ＳＷ１２２、リレーボード１１６、電源ケーブル１２７、中継コネクタ１０７、コネクタ８０４および給電線６０４を介して加熱装置６０１の電熱線８０３へ供給される。商用電源１６２（図７）から電源ケーブル１２７を介して加熱装置６０１へ電力を供給することにより、電熱線８０３は、発熱する。加熱装置６０１には、温度サーミスタ（温度検出器）８０２が設けられている。温度サーミスタ８０２は、加熱装置６０１の温度が所定の温度以上になった場合、商用電源１６２（図７）からの電力の供給を遮断する。温度サーミスタ８０２は、自己復帰タイプであり、規定値に対して温度が下がれば自動的に復帰し、電熱線８０３は、再び発熱する。
【００２５】
画像読取装置１０２の筐体１４０の上部には、金属製の上フレーム１４１が設けられている。上フレーム１４１は、プラテンガラス１１４および流し読みガラス１１０を支持する支持部である。プラテンガラス１１４上に載置された原稿の画像を画像読取器１１５により所定の条件で読み取るために、画像読取器１１５に対する原稿の画像面の高さが主走査方向および副走査方向において均等であるとよい。そこで、画像読取装置１０２を工場内で組み立てる工程において、間隔保持部材としてのスペーサ８０６を用いてプラテンガラス１１４および流し読みガラス１１０の面の高さが調整される。
【００２６】
加熱装置６０１は、図５（ａ）の矢印６０６で示す方向に画像読取装置１０２の背面（後ろ側）から挿入される。加熱装置６０１の第一の挿入部６１１は、上フレーム１４１とプラテンガラス１１４の間でスペーサ８０６により形成される隙間に挿入される折り曲げ部である。第一の挿入部６１１は、上フレーム１４１とプラテンガラス１１４の間の隙間にスライド移動可能に挿入される。プラテンガラス１１４の上面には、原稿サイズ指標板１２４が設けられている。第一の挿入部６１１は、原稿サイズ指標板１２４の下でプラテンガラスの下面に接触して設けられている。加熱装置６０１の第二の挿入部６１２は、上フレーム１４１と流し読みガラス１１０の間でスペーサ８０６により形成される隙間に挿入される折り曲げ部である。第二の挿入部６１２は、上フレーム１４１と流し読みガラス１１０の間の隙間にスライド移動可能に挿入される。第一の挿入部６１１および第二の挿入部６１２は、プラテンガラス１１４の内面および流し読みガラス１１０の内面にそれぞれ所定の接触圧力で接触するように、バネ性（弾性）を有する。第一の挿入部６１１および第二の挿入部６１２は、プラテンガラス１１４の内面および流し読みガラス１１０の内面に接触する接触部である。第一の挿入部６１１および第二の挿入部６１２は、鉄の熱伝導率（８３．５）よりも低い熱伝導率(０．５５−０．７５)を有するガラスから成るプラテンガラス１１４および流し読みガラス１１０に直接に接触する。よって、結露防止のための加熱装置６０１の消費電力を低く抑えることができる。上フレーム１４１には、画像読取器１１５の移動に影響を及ぼさない範囲で一段低く形成された凹部１４２が設けられている。加熱装置６０１は、凹部１４２に固定される。画像読取装置１０２上に配置される自動原稿給送装置１０３が加熱装置６０１により過度に加熱されることがないように、加熱装置６０１を凹部１４２に配置して加熱装置６０１と自動原稿給送装置１０３との間に断熱層としての空間を設けている。
【００２７】
図６(ａ)に示すように、流し読みガラス１１０の下面には、接地部材８０１が設けられている。流し読みガラス１１０は、自動原稿給送装置１０３により搬送された原稿が流し読みガラス１１０の上面と接触しながら搬送されるので、摩擦により流し読みガラス１１０の表面が帯電してしまい、原稿が張り付くなどの搬送制御を妨げる現象を生じることがある。そこで、流し読みガラス１１０の表面は、導電コーティング材料で覆われて流し読みガラス１１０の表面上に導電膜が形成されている。導電膜は、流し読みガラス１１０に設けられた接地部材８０１に電気的に接続されている。流し読みガラス１１０の表面に帯電した電荷は、導電膜および接地部材８０１を介して画像読取装置１０２の上フレーム１４１へ流れ、流し読みガラス１１０の除電効果が向上される。加熱装置６０１を画像読取装置１０２に装着するときに、加熱装置６０１が接地部材８０１に干渉すると、流し読みガラス１１０の表面の電荷の除電効果が損なわれることがある。従って、加熱装置６０１は、接地部材８０１に干渉しないように画像読取装置１０２に装着される。加熱装置６０１の第二の挿入部６１２は、接地部材８０１に接触しないように流し読みガラス１１０の下面に接触して設けられている。
【００２８】
画像読取器１１５の内部には、複数のミラー５１、５２、５３、５４とレンズ５５を組み合わせて形成された縮小光学系を有する光学手段１０１１が設けられている。複数のミラー５１、５２、５３、５４とレンズ５５が冷えた状態において温かく高湿度の空気が画像読取器１１５の中へ流れ込むと、ミラー５１、５２、５３、５４の表面およびレンズ５５の表面に結露が生じる。そこで、本実施形態の加熱装置６０１は、流し読みガラス１１０の内面およびプラテンガラス１１４の内面を直接に暖めることにより、光学手段１０１１を上方から少しずつ暖め、光学手段１０１１を温かい空気層（空気膜）で覆う。流し読みガラス１１０およびプラテンガラス１１４の直下に位置する画像読取器１１５は、流し読みガラス１１０およびプラテンガラス１１４を間接的な加熱手段として緩やかに暖められる。光学手段１０１１の上方に形成される温かい空気層は、画像形成装置１００の周囲の温かく高湿度の空気が画像読取器１１５の内部に入り込むことを防止する機能を発揮する。
【００２９】
（制御システム）
次に、図７を用いて、本実施形態による画像形成装置１００の制御システム３００を説明する。図７は、画像形成装置１００の制御システム３００のブロック図である。自動原稿給送装置１０３は、原稿センサ２０８、駆動モータ２１１および原稿給送ドライバ２０７を備えている。原稿センサ２０８は、原稿トレイ１１３上に載置される原稿を検出する原稿センサ、搬送路上を搬送される原稿を検出する原稿センサなどを含む。駆動モータ２１１は、原稿を給送する給送モータ、搬送モータ、リードモータなどを含む。原稿給送ドライバ２０７は、原稿センサ２０８の検出信号に基づいて駆動モータ２１１を制御する。
【００３０】
（本体電源装置）
装置本体１０１に設けられた本体電源装置１１８は、ノイズフィルタ２０１、常夜電源（副電源）２０２、非常夜電源としてのＡＣ‐ＤＣ電源（主電源）４０６および環境ＳＷ１２２が設けられている。ノイズフィルタ２０１は、外部電源である商用電源１６２のコンセントからコード１０４および受入部１０５を介して装置本体１０１の本体電源装置１１８へ供給される電流に含まれるノイズ成分を除去する。ノイズフィルタ２０１は、また、装置本体１０１に起因するノイズ成分が商用電源１６２へ流れることを防止する。
【００３１】
（（ＡＣ−ＤＣ電源））
ＡＣ−ＤＣ電源４０６は、商用電源１６２から供給される電力から画像形成装置１００を駆動するための直流（駆動電流）を生成する。ＡＣ−ＤＣ電源４０６は、商用電源１６２から供給される交流を直流へ変換し、非常夜電源ケーブル（以下、電源ケーブルという）２０５を介して直流（駆動電流）をシステムコントローラ１１７へ供給する。商用電源１６２からＡＣ−ＤＣ電源４０６への交流の供給のＯＮ／ＯＦＦ制御は、本体メインＳＷ１０６により行われる。本体メインＳＷ（第一の切替手段）１０６は、商用電源１６２からＡＣ−ＤＣ電源４０６への電力の供給と遮断を切り替える。本体メインＳＷ１０６がＯＮ状態にあるとき、ＡＣ−ＤＣ電源４０６からシステムコントローラ１１７への直流の供給のＯＮ／ＯＦＦ制御は、ソフトＳＷ１２３により行われる。本体メインＳＷ１０６がＯＦＦ状態にあるとき、ＡＣ−ＤＣ電源４０６からシステムコントローラ１１７への直流の供給は、停止される。本体メインＳＷ１０６がＯＦＦ状態にあるとき、装置本体１０１による消費電力は、本体電源装置１１８のロス分を差し引けば、実質的に０Ｗである。非常夜電源としてのＡＣ−ＤＣ電源４０６は、画像形成装置１００が省電力モード（スリープモード）であるときには、電力供給対象としてのシステムコントローラ１１７へ電力を供給しない。省電力モードは、システム制御上最低限必要な部分のみへ電力（直流）を供給して画像形成装置１００の電力消費を低減するためのモードである。
【００３２】
（（常夜電源））
常夜電源２０２は、コード１０４の差込プラグ１０４ａが商用電源１６２のコンセントに差し込まれると、画像形成装置１００が省電力モードであるか否かに拘らず常夜電源ケーブル２０４を介してシステムコントローラ１１７へ直流を供給する。
【００３３】
（（環境ＳＷ））
環境ＳＷ１２２は、加熱装置６０１への商用電源の供給をＯＮ／ＯＦＦするためのＯＮ／ＯＦＦ手段として機能する。環境ＳＷ１２２がＯＮ状態にあるとき、本体電源装置１１８は、商用電源１６２からノイズフィルタ２０１を介して加熱装置６０１へ電流を供給可能な状態にある。環境ＳＷ１２２がＯＦＦ状態にあるとき、本体電源装置１１８は、加熱装置６０１へ電流を供給できない。環境ＳＷ１２２が予めＯＮ状態にされることにより、本体メインＳＷ１０６による加熱装置６０１への電流の供給のＯＮ／ＯＦＦ制御が可能になる。サービスマンは、市場においてサービスパーツである加熱装置６０１を画像読取装置１０２に装着したときに、環境ＳＷ１２２をＯＮ状態にする。環境ＳＷ１２２がＯＮ状態にされると、本体メインＳＷ１０６のＯＮ／ＯＦＦに反転して商用電源１６２から加熱装置６０１への電流の供給がＯＦＦ／ＯＮするトグル制御が可能になる。ＡＣ−ＤＣ電源４０６からシステムコントローラ１１７への直流の供給が本体メインＳＷ１０６またはソフトＳＷ１２３によりＯＦＦ状態にされると、リレーボード１１６を介して商用電源１６２から加熱装置６０１へ電流が供給される。
【００３４】
（（ソフトＳＷ））
ソフトＳＷ１２３は、ユーザインタフェースとしての操作部１６１（図１）上に設けられている。ソフトＳＷ１２３は、画像形成装置１００のモードを省電力モードへ移行するとき、および省電力モードから復帰させるときに使用者により操作される。ソフトＳＷ１２３は、システムコントローラ１１７により制御される。常夜電源２０２からシステムコントローラ１１７へ電流が供給されると、システムコントローラ１１７は、ソフトＳＷ１２３を有効にする。ソフトＳＷ１２３は、本体メインＳＷ１０６がＯＮ状態であるときに機能する。ソフトＳＷ１２３の情報は、通信線１３１を介してシステムコントローラ１１７へ送られる。システムコントローラ１１７は、ソフトＳＷ１２３の情報に基づいて画像形成装置１００の省電力モードのＯＮ／ＯＦＦ制御を行う。本体メインＳＷ１０６がＯＮ状態であり、ソフトＳＷ１２３により画像形成装置１００のモードを省電力モードへ移行する操作が行われると、ソフトＳＷ１２３の情報が通信線１３１を介してシステムコントローラ１１７へ伝達される。システムコントローラ１１７は、ソフトＳＷ１２３の情報に基づいて制御信号を、信号線２１２を介してリレーボード１１６のＤＣ電源用リレー２０６および２１３へ送信する。システムコントローラ１１７は、ＤＣ電源用リレー２０６、２１３のＯＮ／ＯＦＦ制御を行うことにより、ＡＣ−ＤＣ電源４０６から画像読取装置１０２へ供給される直流のＯＮ／ＯＦＦを制御して、画像読取装置１０２の省電力モードのＯＮ／ＯＦＦ制御を行う。また、システムコントローラ１１７は、ソフトＳＷ１２３の情報を本体電源装置１１８へ送る。ＡＣ−ＤＣ電源４０６から電源ケーブル２０５を介してシステムコントローラ１１７へ供給される直流は、ソフトＳＷ１２３の情報に基づいてＯＮ／ＯＦＦ制御される。省電力モードでは、本体電源装置１１８のＡＣ−ＤＣ電源４０６からシステムコントローラ１１７への直流の供給が停止される。省電力モードにおいて、常夜電源２０２は、システムコントローラ１１７に含まれるファクシミリ受信部、プリントアウト命令受信部およびリレーボード制御部へ直流を供給する。省電力モードにおいて、システムコントローラ１１７のその他の機能部（負荷）は、無給電状態である。図１に示す本体電源装置１１８とシステムコントローラ１１７を接続する電気ケーブル１１９は、常夜電源ケーブル２０４、電源ケーブル２０５および通信線１３１を含む。
【００３５】
（（リレーボード））
リレーボード１１６は、商用電源用リレー２０３と、ＤＣ電源用リレー２０６および２１３を実装している。システムコントローラ１１７のリレーボード制御部は、本体メインＳＷ１０６のＯＮ／ＯＦＦ状態に拘らず、常夜電源２０２から常夜電源ケーブル２０４を介して直流が供給される。リレーボード制御部は、信号線１２０を介して制御信号により商用電源用リレー２０３を制御し、信号線２１２を介して制御信号によりＤＣ電源用リレー２０６および２１３を制御する。環境ＳＷ１２２がＯＦＦ状態にあるとき、商用電源１６２の交流は、商用電源用リレー２０３へ供給されない。環境ＳＷ１２２がＯＮ状態にあるとき、商用電源１６２の交流は、電源ケーブル１２１を介して商用電源用リレー２０３へ供給される。商用電源用リレー２０３（第二の接続手段）は、受入部１０５から電流が供給される第三の端子２０３ａと、第三の端子２０３ａに電気的に接続状態（ＯＮ状態）または非接続状態（ＯＦＦ状態）にされる第四の端子２０３ｂとを有する。商用電源用リレー（第二の切替手段）２０３は、商用電源１６２から加熱装置６０１への電力の供給と遮断を切り替える。商用電源用リレー２０３は、電源ケーブル１２７を介して加熱装置６０１へ供給される交流のＯＮ／ＯＦＦ制御を行う。システムコントローラ（切替制御手段）１１７は、本体メインＳＷ１０６のＯＮ／ＯＦＦの切り替えに従って加熱装置６０１への交流の停止／供給をトグル動作で切り替えるように商用電源用リレー２０３を制御する。商用電源用リレー２０３は、本体メインＳＷ１０６がＯＮ状態からＯＦＦ状態へ切り替えられると、商用電源１６２の交流を加熱装置６０１へ供給する。商用電源用リレー２０３は、本体メインＳＷ１０６がＯＦＦ状態からＯＮ状態へ切り替えられると、加熱装置６０１への交流の供給を停止する。加熱装置６０１は、本体メインＳＷ１０６がＯＦＦ状態にあるとき、画像読取装置１０２の内部を加熱する。
【００３６】
本体メインＳＷ１０６がＯＮ状態にあるとき、ＡＣ−ＤＣ電源４０６の直流は、電源ケーブル１２５を介してＤＣ電源用リレー２０６および２１３へ供給される。ＤＣ電源用リレー２０６および２１３は、画像読取装置１０２へ電源ケーブル１２６を介して供給される直流のＯＮ／ＯＦＦ制御を行う。システムコントローラ１１７のリレーボード制御部は、ソフトＳＷ１２３の情報に基づいて制御信号を生成する。ＤＣ電源用リレー２０６および２１３は、システムコントローラ１１７から信号線２１２を介してリレーボード１１６へ送信される制御信号に従ってＯＮ／ＯＦＦ制御される。画像形成装置１００が省電力モードに設定されている場合、ＤＣ電源用リレー２０６および２１３は、画像読取装置１０２への直流の供給を停止する。画像形成装置１００が省電力モードに設定されていない場合、ＤＣ電源用リレー２０６および２１３は、ＡＣ‐ＤＣ電源４０６から電源ケーブル１２５を介して供給される直流を、画像読取装置１０２へ供給する。リレーボード１１６からの直流は、電源ケーブル１２６、中継コネクタ１０７および電源ケーブル４１６を介して画像読取装置１０２のＤＣ‐ＤＣ電源２１０へ供給される。ＤＣ‐ＤＣ電源２１０は、画像読取装置１０２の内部で必要とされる各種ＤＣ電源を生成する。ＤＣ‐ＤＣ電源２１０から読取コントローラ１２８へ直流が供給されると、画像読取装置１０２が起動する。本実施形態においては、読取コントローラ１２８は、ＤＣ‐ＤＣ電源２１０と異なる基板上に設けられているが両方を同一基板上に設けてもよい。読取コントローラ１２８は、原稿給送ドライバ２０７に電気的に接続され、原稿給送ドライバ２０７による原稿の給送を制御する。また、読取コントローラ１２８は、光電変換素子１０１０を含む画像読取器１１５、駆動モータ１１２等の負荷を制御して原稿の画像の読取制御を行う。駆動モータ１１２は、ＡＣ‐ＤＣ電源４０６からＤＣ‐ＤＣ電源２１０および読取コントローラ１２８を介して供給される駆動電流により駆動されて、画像読取器１１５を副走査方向に移動させる。
【００３７】
（給電回路）
次に、図８を用いて、装置本体１０１から画像読取装置１０２への商用電源とＤＣ電源の給電回路の概略を説明する。図８は、加熱装置６０１の結線を示すブロック図である。商用電源１６２は、ＡＣ１００Ｖであり、ホット側４０２と、ニュートラル側４０３を有する。画像形成装置１００のコード１０４の差込プラグ１０４ａが商用電源１６２のコンセントへ差し込まれると、商用電源１６２から常夜電源２０２へ電力が供給される。常夜電源２０２は、本体メインＳＷ１０６およびソフトＳＷ１２３のＯＮ／ＯＦＦに拘わらず電力をシステムコントローラ１１７へ供給する。本体メインＳＷ１０６は、両切りスイッチである。本体メインＳＷ（第一の接続手段）１０６は、受入部１０５から電流が供給される第一の端子１０６ａと、第一の端子１０６ａに電気的に接続状態（ＯＮ状態）または非接続状態（ＯＦＦ状態）にされる第二の端子１０６ｂとを有する。本体メインＳＷ１０６がＯＮされると、ＡＣ‐ＤＣ電源（駆動手段）４０６は、画像形成装置１００を駆動するために、商用電源１６２からの交流（一次側の電源）を直流（二次側の電源）へ変換する。ＡＣ‐ＤＣ電源４０６の出力は、例えば、２４Ｖ、ＧＮＤ＿２４、１２Ｖ、ＧＮＤ＿１２である。
【００３８】
環境ＳＷ１２２は、本体電源装置１１８の近傍に配置されている。市場においてサービスマンが画像読取装置１０２に加熱装置６０１を装着した後、サービスマンは、環境ＳＷ１２２をＯＮする。環境ＳＷ１２２がＯＮされると、商用電源１６２から加熱装置６０１への電力の供給が可能な状態になる。商用電源１６２から加熱装置６０１への電力の供給の制御は、リレーボード１１６上の商用電源用リレー２０３を用いて実行される。例えば、本体メインＳＷ１０６がＯＮされた場合、常夜電源２０２とＡＣ−ＤＣ電源４０６から電力が出力される。システムコントローラ１１７に設けられた検出回路（不図示）は、ＡＣ−ＤＣ電源４０６から電力が供給されている状態を検出し、検出結果をリレーボード１１６へ信号線１２０を介して送信する。ＡＣ−ＤＣ電源４０６から電力が供給されている場合、リレーボード１１６は、商用電源用リレー２０３をＯＦＦにし、商用電源１６２から加熱装置６０１への電力の供給を停止する。一方、本体メインＳＷ１０６がＯＦＦされると、ＡＣ−ＤＣ電源４０６からの電力の供給が停止される。検出回路（不図示）は、ＡＣ−ＤＣ電源４０６からの電力の供給が停止されている状態を検出し、検出結果をリレーボード１１６へ信号線１２０を介して送信する。ＡＣ−ＤＣ電源４０６から電力が供給されていない場合、リレーボード１１６は、商用電源用リレー２０３をＯＮにし、商用電源１６２から加熱装置６０１へ電力を供給する。
【００３９】
画像読取装置１０２は、中継コネクタ１０７を介して装置本体１０１と電気的に接続される。画像読取装置１０２は、電源ケーブル４１６を有する。電源ケーブル４１６は、電源ケーブル１２７と電源ケーブル１２６を含む。電源ケーブル４１６は、中継コネクタ１０７に接続されることにより、商用電源１６２からの交流とＡＣ−ＤＣ電源４０６からの直流を画像読取装置１０２へ供給する。画像読取装置１０２のＤＣ−ＤＣ電源２１０は、電源ケーブル１２６を介してＡＣ−ＤＣ電源４０６から１２Ｖの直流（駆動電流）および２４Ｖの直流（駆動電流）の供給を受ける。ＡＣ−ＤＣ電源４０６からＤＣ−ＤＣ電源２１０への１２Ｖの直流および２４Ｖの直流の供給は、リレーボード１１６のＤＣ電源用リレー２１３および２０６によりＯＮ／ＯＦＦ制御される。ＤＣ電源用リレー２１３および２０６は、システムコントローラ１１７から信号線２１２を介して送信される制御信号により制御される。システムコントローラ１１７によるＤＣ電源用リレー２１３および２０６の制御は、本体メインＳＷ１０６がＯＮ状態である場合に行われる。
【００４０】
（加熱装置の装着およびＯＮ／ＯＦＦ制御）
図９を用いて、画像読取装置１０２への加熱装置６０１の装着および加熱装置６０１への電力供給のＯＮ／ＯＦＦ制御のタイミングを説明する。図９は、ＤＣ−ＤＣ電源２１０および加熱装置６０１への電力供給のタイミングチャートである。画像形成装置１００のコード１０４の差込プラグ１０４ａが商用電源１６２のコンセントに差し込まれると、常夜電源２０２は、常夜電源ケーブル２０４を介してシステムコントローラ１１７へ直流を供給する。常夜電源２０２は、画像形成装置１００のシステム制御上必要最低限の電力をシステムコントローラ１１７へ供給する。本体メインＳＷ１０６がＯＮされると、本体電源装置１１８のＡＣ−ＤＣ電源４０６がＯＮされ、ＡＣ−ＤＣ電源４０６から電源ケーブル２０５を介してシステムコントローラ１１７へ直流（駆動電流）が供給される。システムコントローラ１１７の起動が完了した後、ソフトＳＷ１２３がＯＮされる。ソフトＳＷ１２３がＯＮされると、画像形成装置１００の全体へ電力が供給され、画像読取装置１０２のＤＣ−ＤＣ電源２１０がＯＮされる。この時、加熱装置６０１は、まだ、画像読取装置１０２に装着されておらず、環境ＳＷ１２２は、ＯＦＦ状態である。
【００４１】
加熱装置６０１を画像読取装置１０２へ装着するために、サービスマンがソフトＳＷ１２３をＯＦＦすると、画像読取装置１０２のＤＣ−ＤＣ電源２１０がＯＦＦされる。この状態では、常夜電源２０２のみがシステムコントローラ１１７へ電力を供給している。その後、サービスマンは、本体メインＳＷ１０６をＯＦＦし、商用電源１６２のコンセントからコード１０４の差込プラグ１０４ａを抜く。コンセントから差込プラグ１０４ａが抜かれると、画像形成装置１００の全システムへの電力供給が停止する。サービスマンは、加熱装置６０１を画像読取装置１０２へ装着し、環境ＳＷ１２２をＯＮし、差込プラグ１０４ａをコンセントへ差し込む。差込プラグ１０４ａをコンセントへ差し込むことにより、常夜電源２０２がＯＮされ、システムコントローラ１１７へ直流が供給される。環境ＳＷ１２２がＯＮで、本体メインＳＷ１０６がＯＦＦであるので、システムコントローラ１１７は、加熱装置用電源としての商用電源用リレー２０３をＯＮにする。これによって、商用電源１６２から加熱装置６０１へ交流が供給される。加熱装置６０１へ商用電源１６２の交流が供給されることにより、加熱装置６０１がプラテンガラス１１４および流し読みガラス１１０を加熱し、画像読取装置１０２は、結露防止モードになる。
【００４２】
その後、使用者が本体メインＳＷ１０６をＯＮすると、トグル動作により商用電源用リレー２０３がＯＦＦされ、加熱装置６０１への電力の供給が停止される。また、本体メインＳＷ１０６がＯＮされると、ＡＣ−ＤＣ電源４０６からシステムコントローラ１１７へ直流が供給されソフトＳＷ１２３がＯＮされる。ソフトＳＷ１２３がＯＮされると、画像読取装置１０２のＤＣ−ＤＣ電源２１０がＯＮされるとともに、画像形成装置１００の全体へ電力が供給される。その後、ソフトＳＷ１２３がＯＦＦされて画像形成装置１００が省電力モードへ移行されると、常夜電源２０２からシステムコントローラ１１７への電力供給を除いて画像形成装置１００への電力供給が停止される。しかし、本体メインＳＷ１０６がＯＮ状態であるので、加熱装置６０１へ電力は供給されない。次に、ソフトＳＷ１２３がＯＮされると、画像読取装置１０２のＤＣ−ＤＣ電源２１０がＯＮされるとともに画像形成装置１００の全体へ電力が供給され、画像形成装置１００は、画像形成の待機状態になる。
【００４３】
その後、本体メインＳＷ１０６がＯＦＦされると、トグル動作により加熱装置６０１がＯＮされ、画像読取装置１０２は、結露防止モードになる。結露防止モードにおいては、常夜電源２０２からシステムコントローラ１１７への給電と、商用電源１６２から加熱装置６０１への給電のみが行われる。なお、画像形成装置１００が、一年を通して加熱装置６０１を必要とする気候条件の地に設置されることは稀である。例えば、朝晩の冷え込みの激しい環境または季節（シーズン）において加熱装置６０１が機能すれば、結露防止効果を奏することができる。そこで、本実施形態においては、環境ＳＷ１２２のＯＮ／ＯＦＦを切り替えることにより加熱装置６０１の有効／無効の設定を切り替えることができる。本実施形態のように、商用電源１６２と商用電源用リレー２０３との間に、加熱装置６０１を選択的に発熱させる発熱スイッチとしての環境ＳＷ１２２を設けることにより、加熱装置６０１を取り外すことなく不必要な電力消費を回避することができる。
【００４４】
本実施形態によれば、加熱装置６０１が原稿読取ガラス（流し読みガラス１１０および／またはプラテンガラス１１４）に接触して加熱するので結露を防止することができる。原稿読取ガラスおよび光学手段に結露が発生することを防止することにより、結像、原稿読取、シェーディング補正の精度の低下を防止することができる。また、加熱装置６０１が原稿読取ガラスに接触して原稿読取ガラスを加熱するので、加熱装置６０１の消費電力は、従来の加熱装置に比べて低減される。
【００４５】
（加熱装置の変形例）
次に、図１０を参照して、別の実施形態による加熱装置１６０１を説明する。図１０は、画像読取装置１０２に装着された加熱装置１６０１の斜視図である。加熱装置１６０１において、図６（ａ）に示す加熱装置６０１と同様の構造には同様の参照符号を付して説明を省略する。加熱装置１６０１は、熱伝導シート（熱伝導部材）１２０１および１２０２、第一の挿入部１６１１および第二の挿入部１６１２を有する。第一の挿入部１６１１および第二の挿入部１６１２は、平板状またはシート状に形成されている。第一の挿入部１６１１および第二の挿入部１６１２は、金属製の板状部材であるとよいが、金属に限定されるものではなく、熱伝導性のよい材料で形成されていればよい。第一の挿入部１６１１と第二の挿入部１６１２は、互いに分離されていてもよいが、一体の挿入部として構成されていてもよい。第一の挿入部１６１１および第二の挿入部１６１２は、保持部６０２に取り付けられて、保持部６０２により保持されている。第一の挿入部１６１１は、上フレーム１４１とプラテンガラス１１４の間の隙間に挿入されている。第一の挿入部１６１１の上面には、熱伝導シート１２０１が配置されている。熱伝導シート１２０１の上面は、プラテンガラス１１４の内面に接触している。熱伝導シート１２０１は、プラテンガラス１１４の内面に接触する接触部である。第一の挿入部１６１１と熱伝導シート１２０１は、上フレーム１４１とプラテンガラス１１４の間に挟まれている。熱伝導シート１２０１は、プラテンガラス１１４の内面に貼り付けられていてもよいし、または、第一の挿入部１６１１に貼り付けられていてもよい。あるいは、熱伝導シート１２０１は、加熱装置１６０１を装着部１５０に装着した後に、プラテンガラス１１４と第一の挿入部１６１１との間に挿入されてもよい。保持部６０２に設けられた電熱線８０３により発生した熱は、第一の挿入部１６１１と熱伝導シート１２０１を介してプラテンガラス１１４の内面へ効率よく伝達される。第二の挿入部１６１２は、上フレーム１４１と流し読みガラス１１０の間の隙間に挿入されている。第二の挿入部１６１２の上面には、熱伝導シート１２０２が配置されている。熱伝導シート１２０２の上面は、流し読みガラス１１０の内面に接触している。熱伝導シート１２０２は、流し読みガラス１１０の内面に接触する接触部である。第二の挿入部１６１２と熱伝導シート１２０２は、上フレーム１４１と流し読みガラス１１０の間に挟まれている。熱伝導シート１２０２は、流し読みガラス１１０の内面に貼り付けられていてもよいし、または、第二の挿入部１６１２に貼り付けられていてもよい。あるいは、熱伝導シート１２０２は、加熱装置１６０１を装着部１５０に装着した後に、流し読みガラス１１０と第二の挿入部１６１２との間に挿入されてもよい。熱伝導シート１２０２は、流し読みガラス１１０の電荷を除去するための接地部材８０１に干渉しないように配置されている。保持部６０２に設けられた電熱線８０３により発生した熱は、第二の挿入部１６１２と熱伝導シート１２０２を介して流し読みガラス１１０の内面へ効率よく伝達される。なお、第一の挿入部１６１１および第二の挿入部１６１２を省略して熱伝導シート１２０１および１２０２を直接に保持部６０２に結合してもよい。その場合、電熱線８０３により発生した熱は、熱伝導シート１２０１および１２０２を介してプラテンガラス１１４および流し読みガラス１１０の内面へ効率よく伝達される。
【００４６】
本実施形態によれば、加熱装置１６０１が原稿読取ガラス（流し読みガラス１１０および／またはプラテンガラス１１４）に接触して加熱するので結露を防止することができる。なお、熱伝導シート１２０１および１２０２などの熱伝導部材を介在部材と解釈した場合、加熱装置１６０１は、原稿読取ガラス（流し読みガラス１１０および／またはプラテンガラス１１４）の内面に間接的に接触しているともいえる。原稿読取ガラスおよび光学手段に結露が発生することを防止することにより、結像、原稿読取、シェーディング補正の精度の低下を防止することができる。また、加熱装置１６０１が原稿読取ガラスに接触して原稿読取ガラスを加熱するので、加熱装置１６０１の消費電力は、従来の加熱装置に比べて低減される。
【００４７】
（参考例の加熱装置）
本実施形態による加熱装置６０１および１６０１は、原稿読取ガラスに直接に接触する接触部を有するので、少ない消費電力で原稿読取ガラスを効率的に加熱することができる。これに対して、以下に説明する参考例の加熱装置１１１は、原稿読取ガラスから離れて下方に配置され、主に空気の対流により原稿読取ガラスを加熱する。図１１および図１２を用いて、参考例の加熱装置１１１を説明する。図１１は、参考例の加熱装置１１１が装着された画像読取装置１０２の斜視図である。図１１において、本実施形態の画像読取装置１０２と同様の構造には同様の参照符号を付して説明を省略する。参考例の加熱装置１１１は、同様の構造および同様の性能を有する二つの１００Ｖ用の加熱装置１１１ａおよび１１１ｂを含む。加熱装置１１１ａおよび１１１ｂは、画像読取装置１０２の金属製の底板フレーム１４３に取り付けられている。加熱装置１１１ａは、画像読取装置１０２の後ろ側で流し読みガラス１１０側のプラテンガラス１１４の下方に配置されている。加熱装置１１１ｂは、画像読取装置１０２の後ろ側で流し読みガラス１１０と反対の側のプラテンガラス１１４の下方に配置されている。
【００４８】
以下、加熱装置１１１ａおよび１１１ｂが組み込まれた画像読取装置１０２における温度測定結果を説明する。加熱装置１１１ａおよび１１１ｂは、発熱体として概ね１０Ｗの消費電力のセメント抵抗を有する。表１は、加熱装置１１１へ供給される交流（ＡＣ）を変更して消費電力を変更した場合の加熱装置１１１の表面温度の測定結果を示す。加熱装置１１１の表面温度は、２つの加熱装置１１１ａおよび１１１ｂの平均値である。温度上昇Δtは、消費電力６Ｗ時を基準として表されている。
【００４９】
2018152667.tif 000003
【００５０】
表１から分かるように、加熱装置１１１の表面温度は、印加する消費電力の増加に従って上昇する。しかし、加熱装置１１１の表面温度の温度上昇Δｔと比較して、画像読取装置１０２の内部温度の実際の温度上昇はかなり低い。加熱装置１１１ａおよび１１１ｂが取り付けられている金属製の底板フレーム１４３は、加熱装置１１１ａおよび１１１ｂと比べて面積が非常に広いので、底板フレーム１４３の温度分布が均一になるまでに時間がかかる。例えば、加熱開始から３時間後に、加熱装置１１１ａの取り付け部の近傍における底板フレーム１４３の温度は、３６.９℃であり、加熱装置１１１ｂの取り付け部の近傍における底板フレーム１４３の温度は、３７.８５℃である。これらの温度は、４つの電力（６Ｗ、８．３Ｗ、１２．８Ｗ、１３．３Ｗ）の平均である。加熱装置１１１ａの取り付け部の近傍における温度のバラツキは、３．７℃である。加熱装置１１１ｂの取り付け部の近傍における温度のバラツキは、４．７℃である。温度変化が６℃以上である箇所は、流し読みガラス１１０の部分５０４、プラテンガラス１１４の部分５０５および部分５０６と、加熱装置１１１ａの上部雰囲気と、加熱装置１１１ｂの上部雰囲気である。加熱装置１１１の表面温度の上昇により効率よく暖められる箇所は、加熱装置１１１の発熱により生じる上昇気流５０１、５０２および５０３により暖められる流し読みガラス１１０の部分５０４、プラテンガラス１１４の部分５０５および５０６の３カ所である。上昇気流５０１、５０２および５０３により暖められる流し読みガラス１１０およびプラテンガラス１１４の温度勾配の測定結果は次の通りである。流し読みガラス１１０の部分５０７の奥側と手前側の温度差は、４℃である。プラテンガラス１１４の部分５０８の奥側と手前側の温度差は、６．５℃である。プラテンガラス１１４の部分５０９の奥側と手前側の温度差は、７．７℃である。画像読取装置１０２の金属製の底板フレーム１４３の部分５１０の奥側と手前側の温度差は、４．４℃である。底板フレーム１４３の部分５１１の奥側と手前側の温度差は、５．１℃である。熱源近傍を中心に温められ、時間を掛けて温度勾配が少なくなっていく様な暖まり方をする。画像読取装置１０２の内部雰囲気温度は、約３９．２℃±３℃である。一方、画像読取装置１０２の周囲の温度は、概ね２７℃である。加熱装置１１１により、画像読取装置１０２の内部雰囲気温度は、周囲の温度に対して約１２℃上昇している。
【００５１】
（参考例と本実施形態との比較）
参考例の加熱装置１１１による温度上昇の測定結果から、参考例の加熱装置１１１においても、概ね結露の発生を防止できる。しかし、温度および湿度の条件によっては、参考例の加熱装置１１１では結露の発生を防止できないことがある。結露が発生する場所は、図１１（ａ）に示す部分５０４、部分５０５および部分５０６の内面と、図１１（ｂ）に示す画像読取器１１５内のミラー５１、５２、５３、５４（図２（ｃ））の表面である。ここで、結露の発生条件は、一般的に、次の３つである。湿度が高い（条件Ｉ）。表面温度が低い（条件II）。風通しがよくない（条件III）。
【００５２】
画像読取装置１０２の金属製の筐体は、主に、ガラスより比熱が小さい鉄でできているので、ガラスと比べて、暖まり易く冷め易い性質を有している。よって、画像読取装置１０２が低温・高湿度の環境下に長時間放置されると、金属製の筐体の表面は、とても冷たくなる。流し読みガラス１１０とプラテンガラス１１４の表面も、同様に、冷たくなる。しかし、流し読みガラス１１０とプラテンガラス１１４は、鉄よりも比熱が大きく、また、原稿を押圧する場合の強度を得るために厚さが４ｍｍあるので熱容量も大きい。従って、流し読みガラス１１０とプラテンガラス１１４の表面温度は、金属製の筐体の表面温度に比べて冷めにくい。参考例の加熱装置１１１は、画像読取装置１０２の内部空気温度を上昇させる間接的加熱方式である。本実施形態の加熱装置６０１、１６０１は、プラテンガラス１１４と流し読みガラス１１０の内面に接触して直接暖める接触式加熱方式である。ガラスの比熱は鉄より大きいので、流し読みガラス１１０とプラテンガラス１１４を、底板フレーム１４３に取り付けられた加熱装置１１１の上昇気流により暖めるより直接接触により暖めるほうが有利である。本実施形態の加熱装置６０１、１６０１によれば、結露が発生する箇所の表面温度を高く維持することにより結露の発生を防止することができる。また、結露が発生する箇所に直接に接触して加熱することにより、加熱装置６０１、１６０１の消費電力を参考例の加熱装置１１１に比べて低くすることができる。
【００５３】
本実施形態による加熱装置６０１、１６０１によれば、画像読取装置１０２の金属製の底板フレーム１４３に配置された参考例の加熱装置１１１のように、温かい空気が下から上へ上昇する熱対流は起こり難い。その代り、流し読みガラス１１０,プラテンガラス１１４を蓋として徐々に温かい空気層が降りて来る様な温度変化が生じる。画像読取装置１０２に於いては、本体電源装置１１８のＯＮ／ＯＦＦ制御とトグル動作で加熱装置６０１、１６０１へ商用電源１６２から電力が供給される。画像読取装置１０２が十分冷えた状態で室温および湿度が急激に変化すると、温かく高湿度の空気が給電口１０８を介して画像読取装置１０２の内部へ流入する。しかし、流し読みガラス１１０およびプラテンガラス１１４の内面は、加熱装置６０１、１６０１により温かい空気で満たされているので、給電口１０８から流入する温かく高湿度の空気は、流し読みガラス１１０およびプラテンガラス１１４へ到達しにくい。よって、結露の発生が防止される。例えば、給電口１０８から流入する温かく高湿度の空気は、流し読みガラス１１０およびプラテンガラス１１４へ到達したとしても、ガラス面の温度が外気温度よりも高いので、結露の発生は防止される。
【００５４】
図１２は、参考例の加熱装置１１１の温度特性を示す図である。図１２は、加熱装置１１１の消費電力（Ｗ）に対する温度上昇（℃）の関係を示す特性グラフを示している。横軸は、加熱装置１１１の消費電力（Ｗ）を表す。縦軸は、加熱装置１１１の温度上昇を表す。温度上昇の実測値の曲線７０３は、上述した表１の特性の換算温度３２.５℃を０℃としてプロットされている。近似直線７０４は、原点を通る様に０℃換算されている。参考例の１０Ｗの加熱装置１１１では、結露の発生を防止するために、流し読みガラス１１０およびプラテンガラス１１４の内面を約１２℃上昇させる。流し読みガラス１１０およびプラテンガラス１１４の内面に接触して直接に加熱する本実施形態の加熱装置６０１、１６０１は、図１２に示す特性グラフから、２０℃〜４０℃の温度上昇に相当する２Ｗ〜４Ｗの消費電力を有すればよい。本実施形態の加熱装置６０１、１６０１によれば、参考例の加熱装置１１１に比べて消費電力を低減することができる。
【００５５】
本実施形態によれば、加熱装置６０１、１６０１が原稿読取ガラス（流し読みガラス１１０および／またはプラテンガラス１１４）に接触して加熱するので結露を防止することができる。加熱装置６０１，１６０１が原稿読取ガラスに接触して原稿読取ガラスを加熱するので、加熱装置６０１，１６０１の消費電力は、従来の加熱装置に比べて低減される。
【符号の説明】
【００５６】
１００・・・画像形成装置
１１０・・・流し読みガラス（原稿読取ガラス）
１１４・・・プラテンガラス（原稿読取ガラス）
１１５・・・画像読取器
１６０・・・画像形成部
６０１、１６０１・・・加熱装置
６１１・・・第一の挿入部（接触部）
６１２・・・第二の挿入部（接触部）
１６２・・商用電源（外部電源）
１５０・・・装着部
４０６・・・ＡＣ‐ＤＣ電源（駆動手段）
１０６・・・本体メインＳＷ（第一の切替手段）
２０３・・・商用電源用リレー（第二の切替手段）
１１７・・・システムコントローラ（切替制御手段）
１２０１、１２０２・・・熱伝導シート（接触部）
【図１】
2018152667.tif 000004
【図２】
2018152667.tif 000005
【図３】
2018152667.tif 000006
【図４】
2018152667.tif 000007
【図５】
2018152667.tif 000008
【図６】
2018152667.tif 000009
【図７】
2018152667.tif 000010
【図８】
2018152667.tif 000011
【図９】
2018152667.tif 000012
【図１０】
2018152667.tif 000013
【図１１】
2018152667.tif 000014
【図１２】
2018152667.tif 000015